(57)【要約】【課題】  カメラのレンズ鏡筒に取着されるカメラレンズフード本来の機能を損なうことなく、カメラレンズフードをレンズ鏡筒部に装着した状態で、ファインダーを覗きながら容易に回転効果フィルターを操作できるための調整装置の提供を目的とする。【解決手段】  カメラレンズフードの円周部位のいずれか１ヵ所で、かつ、回転効果フィルターと適宜位置で係合いなる箇所に着脱自在とした調整装置を設けて成り、当該調整装置は、方向移動ダイヤルと連結し駆動する回転駆動アームとフィルター回転ダイヤルを主な構成として、方向移動ダイヤルの回転動作により回転駆動アームの駆動と連結してフィルター回転ダイヤルを上下移動操作することによって、回転効果フィルター外周面に当接させ回転調節ができることを特徴としている。【選択図】  図  １
0003116953.tif 000002
【実用新案登録請求の範囲】
【請求項１】
カメラレンズに装着し使用される偏光フィルター、クロスフィルター等の回転効果フィルターを調整するための装置に於いて、カメラのレンズ鏡筒の先端部を包囲するように該レンズ鏡筒に着脱自在に装着できるカメラレンズフードに対して、前記レンズ鏡筒の先端部に装着された回転効果フィルターを容易に操作するために、光軸と平行な回転軸を中心に回転可能かつレンズ鏡筒の径方向に移動可能に支持され、当該カメラレンズフードの円周部位のいずれか１ヵ所で、かつ、前記回転効果フィルターと適宜位置で係合いなる箇所に着脱自在とした調整装置を設けて成り、当該調整装置は、方向移動ダイヤルと連結し駆動する回転駆動アームとフィルター回転ダイヤルを内設し、当該回転駆動アームは内部に回転時のクリック感を伝達させるためのクリック機構を施し、該回転駆動アームと連動軸支したフィルター回転ダイヤルを構成し、前記フィルター回転ダイヤルは、方向移動ダイヤルの回転動作により回転駆動アームの駆動と連結して上下移動操作することによって、レンズ鏡筒に装着された回転効果フィルターの外周面に対向し、カメラレンズフードの径方向内方に移動して回転効果フィルター外周面に当接させ、該フィルター回転ダイヤルを回転させることにより回転効果フィルターに伝達し回転調節ができる、カメラレンズフードに着脱自在としたことを特徴とするカメラ用回転効果フィルターの調整装置。
【考案の詳細な説明】
【技術分野】
【０００１】  本考案は、カメラにレンズフードを使用して撮影を行う際に、撮影効果を高めるために用いられている、偏光フィルター、クロスフィルター等の焦点調節補助部材である回転効果フィルターを、容易に調整するための装置に関するものである。
【背景技術】
【０００２】  従来より、カメラレンズでは、撮影画角外の領域からの光を遮光するためにカメラレンズフードが用意されており、レンズ鏡筒の先端部に装着される。一方、撮影効果を高めるために、レンズ鏡筒に偏光フィルター、クロスフィルター等の各種フィルターをレンズ鏡筒の先端部に装着して撮影効果を高めることも行われている。例えば、偏光フィルターの場合には光軸回りの回転位置を変化させることで被写体からの偏光を制限し、撮影画像の鮮明化を図っている。また、クロスフィルターの場合には光軸回りの回転位置を変化させることで十字型のボケ方向を変化させている。【０００３】このような、光軸回りの回転位置を変化させることで、撮影効果が変化できるフィルターとして回転効果フィルターと称する各種のフィルターをレンズ鏡筒の先端部に装着し使用されており、特に光の表面反射を除去するフィルターとして被写体自身の色が忠実に再現されることから、風景撮影に欠かすことのできないものとして、偏光フィルター（ＰＬフィルター）などが採用されているもので、これら回転効果フィルターと称するフィルターを一眼レフカメラで使用する場合には、回転効果フィルターの効果をファインダーで確認することが必要であり、回転効果フィルターと同様にレンズ鏡筒の先端部に装着される前記したカメラレンズフードは、このカメラレンズフードを装着した状態でも回転効果フィルターを回転操作しながら撮影を行うことができる構成になっていることが望ましいものである。【０００４】そこで例えば、図９はその一部の断面図であり、回転効果フィルターとして偏光フィルターを用いた例を示している。この偏光フィルターＸ１は、円板状に形成された偏光フィルターＸ１の周辺部を支持する可動枠３１と、この可動枠３１を光軸回りに回転可能に支持している固定枠３２とで構成されており、前記固定枠３２はその外周面に形成された雄ネジ溝３３をレンズ鏡筒３０の先端部の内周面に形成した雌ネジ溝３４に螺合することで前記レンズ鏡筒３０に取着でき、かつ取着したときには可動枠３１を操作して固定枠３２に対して回転させることで、偏光フィルターＸ１の光軸回りの回転位置を任意に調整できるように構成されている。また、前記レンズ鏡筒３０の先端部の外周面にはカメラレンズフードＹ１が取着される。このカメラレンズフードＹ１の取着構造としては、例えばバヨネット構造が用いられている。【０００５】そこで前記したように、カメラレンズフードＹ１を取着した状態でも回転効果フィルターの一種である偏光フィルターＸ１の回転操作を可能とするために、前記カメラレンズフードＹ１は、前記偏光フィルターＸ１の周囲に、撮影者の指先が入り込むことが可能な程度のスペースを確保するように、レンズ鏡筒３０の外径に対して充分大きなな外径寸法に形成されている。従って、このカメラレンズフードＹ１を用いて偏光フィルターＸ１を利用した撮影を行う場合には、図９中に示すように、撮影者はカメラレンズフードＹ１の前側開口から指を差し込み、指先で偏光フィルターＸ１の可動枠３１を操作してレンズ鏡筒３０に対して回転させることが可能となる。【０００６】また、図１０に示すように、カメラレンズフードＹ２の一部に使用者の指が挿入可能���穴を開設した開口部Ｙ２ａを設け、この開口部Ｙ２ａを通してカメラレンズフードＹ２内に指を差し入れることで、偏光フィルターＸ１の回転操作を可能にしたものが提案されている。このカメラレンズフードＹ２では、偏光フィルターＸ１の周囲に指を差し込むスペースを確保することがないため、カメラレンズフードＹ２の径寸法を低減できるとともに、偏光フィルターＸ１を調整する際の撮影者の手によるファインダーでの視野のけられを回避することが可能となる。【０００７】これら上述技術に加え、カメラレンズフードを装着した状態で回転効果フィルターを容易に操作できる技術として、特開平１１−２９５７８０のように、カメラレンズフードに開口部を設け、この開口部に嵌合する蓋部材を設けて、使用時に蓋部材を外し、調整後再度、蓋部材を装着する技術が提案されているものである。
【考案の開示】
【考案が解決しようとする課題】
【０００８】然しながら、図９における従来例のカメラレンズフードＹ１では、撮影者はファインダーを覗いて被写体を確認しながら片方の手で偏光フィルターＸ１を操作する際に、カメラレンズフードＹ１の前側開口から差し入れた手がレンズ鏡筒３０の一部を遮ることになるため、ファインダー視野にけられが生じることがあり、撮影画面を確認する上で好ましくない。また、カメラレンズフード内に指を差し入れるためのスペースを確保するために、カメラレンズフードＹ１の外径がレンズ鏡筒３０に対して大きなものになり易い。【０００９】更に、図９及び図１０に示すように花型と呼ばれカメラレンズフードの前部に花型状のカットをし、前側開口としたものもあるが、被写体によっては光の入射を防ぐ上で指が入る程度までカットされた同図の形状は不適切な場合も多く、ましてレンズ鏡筒３０側に取着した時点で固定されるため、回転不可能なことから光の侵入を防止することができない場合がある。そこで特にカメラレンズフードは、光の入射を防ぐ目的から長型のものが多く、指を入れて調整できないものも多くある。なおこの場合、一般的には被写体の確認を行うために偏光フィルターを回転させ最適な場所を得るためにも、カメラレンズフードに指が入らないという不具合が生じるため、一度カメラレンズフードを外し、最適条件を得た後に再度装着するという煩わしさがあった。更に、カメラレンズフードを外した状態からは光の侵入を直接受けるため偏光フィルターの効果がつかめず、最終的にはカメラレンズフードを装着して結果を見るのが通常の操作である。つまりカメラレンズフード未使用状態では偏光フィルターの調整は不可能といってよく、写真結果が満足となるものではないため、満足を得るためにはカメラレンズフード着用時に偏光フィルターを調整できることが望ましいものであった。【００１０】上記点において、カメラレンズフード上部に開口部を設けた図１０の技術に対しては、開口部Ｙ２ａが存在していると、開口部Ｙ２ａから指を引き出して実際に撮影を行うレリーズ時等には開口部Ｙ２ａより画角外の光がレンズ鏡筒３０に入射されることになり、カメラレンズフード本来の機能が損なわれてしまうことになる。【００１１】これら欠点を解消しようとした技術とする、特開平１１−２９５７８０（図示せず）では、例えカメラレンズフードの外形の小型化或いは、指でフィルターを操作しやすいようにフードに開口部を設けたとしても、回転効果フィルター調整時に蓋材を外し、調整後再度、蓋部材を装着しなければならず、その都度蓋を脱着しなければならない煩わしさが発生するものである。また特に、蓋材を外し指が入るまでの開口面積を必要とするため、指を入れて調整するものであることから、必ずその開口部から光が侵入してしまい、撮影効果を上げるために効果フィルターを使用し調整しようとするものの、満足する結果は決して得られないものであったため実用性に乏しいものであった。更に、レンズ口径に合わせて何種類ものカメラレンズフードがあり、その都度専用の型を造らなければならないことから、コストが高くなるもので、まして既存のカメラレンズフードを活用することは不可能であった。そこで、従前からのカメラレンズフードを活用しつつ、上述するこれらの種々問題を解決する手段が望まれていたものである。【００１２】また、このほか特開平９−２９２６４７のような調整装置付きレンズフードの技術が開示されているものであるが、フィルターに回転ローラーを押し込みながらフィルターの外周面と当接させるとしたこの技術によれば、常時弾接させるローラー支持バネの力で所定位置に戻る機構であることから、調節する際に何度も押し込みながらローラーを回転調節させなければならず、しかもバネ力によっては指に力が係り過ぎてフィルターの微調整がしずらく、弱すぎればフィルターと当接したままでフード着脱に支障をきたすなどの欠点が生じる。更に、特開平９−２５８３００のような二つのホイールにベルト懸回した形状の回転装置を嵌め込んだ技術も開示されているものであるが、この装置も前述同様に付勢部材としたバネ材等を設け、押し込んでフィルターに当接させながら回転部のホイールを指で回転させるため、力の加減によってはフィルターに必要以上の力が掛かることから、回転効果を悪化させたりフィルターの変形が生じやすくなる。またベルトが当接した時に二つのホイールの間隔があることで、何れか一方のホイール状のダイヤルに指圧が偏り、ベルトによる調節を行おうとするもののスリップしてフィルターを回転させることができないといった不具合が生じるものである。上記二点の開示技術はそれぞれ指圧力にたよることから、押し当てながら調節することは多くの欠点をもたらすものである。【００１３】本考案はこれら従来の技術に於ける問題点に鑑み、その問題点を解決するべく、カメラレンズフードをレンズ鏡筒部に装着した状態で、ファインダーを覗きながら容易に回転効果フィルターを操作できるために、カメラレンズフードに装着して使用するカメラ用回転効果フィルターの調整装置を提供し、前述の欠点を解消しようとするものである。
【課題を解決するための手段】
【００１４】  前記の問題点を解決すべく種々研究の結果、上記目的は本考案によって有効に達成することができる。【００１５】すなわち本考案は、カメラレンズに装着し使用される偏光フィルター、クロスフィルター等の回転効果フィルターを調整するための装置に於いて、カメラのレンズ鏡筒の先端部を包囲するように該レンズ鏡筒に着脱自在に装着できるカメラレンズフードに対して、前記レンズ鏡筒の先端部に装着された回転効果フィルターを容易に操作するために、光軸と平行な回転軸を中心に回転可能かつレンズ鏡筒の径方向に移動可能に支持され、当該カメラレンズフードの円周部位のいずれか１ヵ所で、かつ、前記回転効果フィルターと適宜位置で係合いなる箇所に着脱自在とした調整装置を設けて成り、当該調整装置は、方向移動ダイヤルと連結し駆動する回転駆動アームとフィルター回転ダイヤルを内設し、当該回転駆動アームは内部に回転時のクリック感を伝達させるためのクリック機構を施し、該回転駆動アームと連動軸支したフィルター回転ダイヤルを構成し、前記フィルター回転ダイヤルは、方向移動ダイヤルの回転動作により回転駆動アームの駆動と連結して上下移動操作することによって、レンズ鏡筒に装着された回転効果フィルターの外周面に対向し、カメラレンズフードの径方向内方に移動して回転効果フィルター外周面に当接させ、該フィルター回転ダイヤルを回転させることにより回転効果フィルターに伝達し回転調節ができ、カメラレンズフードに着脱自在としたことを特徴としている。
【考案の効果】
【００１６】本考案のカメラ用回転効果フィルターの調整装置によれば、レンズ鏡筒の先端部に装着された偏光フィルター等の部品を操作するために、カメラレンズフードの円周部位のいずれか１ヵ所に装着すればよく、どの位置であっても撮影者がファインダーを覗きながら、各ダイヤルに指を掛けて回すことができ、偏光フィルターの回転時にその都度カメラレンズフードを取り外すことなく取り付け効果を確認することが出来、瞬時に偏光フィルター効果のポイントを探り当てることが可能であることから操作性が格段に向上する。また画角外の光がレンズ鏡筒に入射されることを防止し、カメラレンズフード本来の遮光効果を確保することができることで撮影効果の高い高品質の撮影を実現する上で格段に有効なものとなる。
なお特に、従来よりあるカメラレンズフードに、取着用の加工を施すことによって本考案の主装置を使用できることは、改めて新規のカメラレンズフードを容易立てする必要がない。また、着脱自在であることから装置本体を外して他のカメラレンズフードに何回も取り替えながら使用できることは、余計な購入を控えることができ特段の経済的効果を奏するものである。
以上の如く本考案によるカメラ用回転効果フィルターの調整装置によって生ぜしめる効果は絶大なものであり、極めて実用的有益なる優れた経済効果を奏するものである。
【考案を実施するための最良の形態】
【００１７】  本考案は、レンズ鏡筒の先端部に装着された回転効果フィルターを容易に操作するために、当該カメラレンズフードの円周部位のいずれか１ヵ所で、かつ、回転効果フィルターと適宜位置で係合いなる箇所に設けるもので、フード側面又は上面のいわゆるフードー周面内の何れか一箇所に施すことで、どの面に装着しても作業ができるものである。本考案の装置は、既存のカメラレンズフードにも適用でき、当該カメラレンズフードにフィルター回転ダイヤルが入る溝の加工と、架台部取り付け用の穴を施すことでよい。また、当然ながら新規のカメラレンズフードには最初から一体となったものを提供すればよい。形状的には指でダイヤル及びハンドルを回す程度の大きさでよいことから、フード外観形状にこだわるものでもないため、円筒形、花形等の種々のフードに適用可能なものである。
【実施例】
【００１８】  以下に、本考案におけるカメラレンズ用回転効果フィルターの調整装置の一実施形態について、図面を交えて詳述する。図１は本考案の一実施例における使用状態の正面図で、第２図は同実施例の正面図であり、図３は同実施例の作用断面図で、図４の至り図６はそれぞれ内部構成を表す上面図、断面図、底面図である。【００１９】図１に示すように、レンズ鏡筒１１を包むように取着したカメラレンズフード１０の外周部に装置本体１を取付けた状態で、カメラレンズフード１０にはフィルター回転ダイヤル４が移動し回転効果フィルター１２まで当接するためのフード抜き孔１３を加工し、レンズ鏡筒１１に嵌め合いした回転効果フィルター１２を回転させるもので、フィルター回転ダイヤル４を当該回転効果フィルター１２に当接させるために、図１乃至り図３に示すように方向移動ダイヤル２を回転させることにより、連動してフィルター回転ダイヤル４が径方向内方または外方に移動するように上下動作する。この場合に、カメラレンズフード１０からレンズ鏡筒１１に嵌め合いした回転効果フィルター１２までの距離は、フード外径及び厚さや鏡筒径及びフィルター径によって様々なものが存在するため、フィルター回転ダイヤル４の上下動作移動距離は、充分な移動距離を保つことが望ましく、図２に示すように上下動作距離が同実施例においては通常１５〜２５ｍｍまでの移動ができる構造となっている。【００２０】操作手順においては、指Ａで方向移動ダイヤル２を回転させ径方向内方にフィルター回転ダイヤル４を移動させ回転効果フィルター１２と接触係合いさせて、指Ａでフィルター回転ダイヤル４を回転させダイヤルリング９との接触回転で回転効果フィルター１２を回転調整させる。回転効果フィルター１２は、円板状に形成された回転効果フィルター１２の周辺部を支持する可動枠と、この可動枠を光軸回りに回転可能に支持している固定枠とで構成されており、前記固定枠はその外周面に形成された雄ネジ溝をレンズ鏡筒１１の先端部の内周面に形成した雌ネジ溝に螺合することで該レンズ鏡筒１１に取着でき、かつ取着したときには可動枠を操作して固定枠に対して回転させることで、回転効果フィルター１２の光軸回りの回転位置を任意に調整できるように構成されている。図１の状態は回転効果フィルター１２を回転させる可動枠にフィルター回転ダイヤル４が当接し掛合いした状態を示すもので、ファインダーを覗きながら被写体の色合いが忠実に再現されるよう調節するために、撮影者の指Ａでフィルター回転ダイヤル４を回転させることで、可動枠が連動回転し偏光調整が可能となる。回転方向は左右どちらの回転もできることから、偏光ポイントを瞬時に探ることができる。【００２１】次に内部構造について、図４乃至り図６を交えて詳述する。各図より、本体ボディー１ａ内には、方向移動ダイヤル２を軸支し連結する回転駆動アーム３とフィルター回転ダイヤル４からなり、方向移動ダイヤル２には止めネジ８により固着する移動調整ピン７が嵌め合いされており、移動調整ピン７に回転駆動アーム３が掛かり合いしている。方向移動ダイヤル２と移動調整ピン７は螺子合いにより、方向移動ダイヤル２の回転に合わせて移動調整ピン７が上下動し、この上���動と連結して回転駆動アーム３が上下駆動するものである。回転駆動アーム３内にはフィルター回転ダイヤル４が嵌着され、ダイヤル取付ネジ６で固着されている。また、フィルター回転ダイヤル４内部には回転時のクリック感を伝達させるためのクリック機構として、クリックバネ５を嵌合させ、当該クリックバネ５は図示するように、回転駆動アーム３の内部形状として施されたピニオン状の複数個の突起した歯車型ダイヤル径の溝に嵌っているもので、フィルター回転ダイヤル４を回転させた時に確実な回転動作が伝達されるように施されている。【００２２】なおこれら各図からフィルター回転ダイヤル４の移動範囲は、上記したように実質上カメラレンズフード径及び厚さと、レンズ径となるレンズ鏡筒に取付ける回転効果フィルター１２によって異なるが、望遠等の広角レンズ使用時であっても小径から大径まで、２０ｍｍ程の移動距離で充分に補うことができる。従って、実施例で示すような方向移動ダイヤル２と移動調整ピン７と連動する回転駆動アーム３との組合せでは、前述したように方向移動ダイヤル２と移動調整ピン７は螺子合いによる移動距離が即ち伝達距離となることから、方向移動ダイヤル２のネジ長で移動距離を自在に変更可能となる。【００２３】次に図７はフィルター回転ダイヤル４の構造図を示し、それぞれ図ａは正面図、図ｂはＡ−Ａ‘断面図を表す。同図よりフィルター回転ダイヤル４は円形状を成して、ダイヤル円周部を直接指又は手の平で回すもので、回転効果フィルター１２と接触係合いした後、回転調整しやすく密接させるために、フィルター回転ダイヤル４の接触外周面にはゴム材としたダイヤルリング９を嵌着し摩擦により回転を向上させ滑り防止をしている。また殆どの偏光フィルターの可動枠上には指でまわし易いに刻みが施されていることから、フィルター回転ダイヤル４に嵌着するダイヤルリング９は回転効果フィルター１２を回転する際にスリップ防止ができる摩擦力が大きな材質のものを使用すればよいことから、ゴム材に代えて適宜素材のものでもよい。上記と同様に、方向移動ダイヤル２にも指や手で回転させる時の滑りを防止できる加工を施すことやゴムリング等を嵌着させることでもよく、この場合に移動動作においても微調整に役立つ。【００２４】図８は回転駆動アーム３の構造図を示し、それぞれ図ｃは平面図、図ｄは右側面図を表す。上述したように回転駆動アーム３の略円形状内部には突起する歯車型ダイヤル形状を施し、谷部分に嵌め合いされたクリックバネ５が、回転される都度バネを反発付勢させてクリック感を伝達する。回転駆動アーム３の歯車型ダイヤル形状側にはフィルター回転ダイヤル４を嵌着させ、背面側よりダイヤル取付ネジ６で双方を固着している。【００２５】その他、本実施例におけるフィルター回転ダイヤル４に移動伝達する手段として方向移動ダイヤル２と回転駆動アーム３による伝達手段を用いて説明しているが、移動及び回転を伝えるための手段は本実施に於ける方法に限らず、方向移動ダイヤル２を用いずに、回転駆動アーム３に上下動を伝えるバネ材を内包させ、フィルター回転ダイヤル４及びダイヤルリング９を直接上から径方向内方に押し込み回転効果フィルター１２まで当接させて、ダイヤル���回しながら調節し、上方向移動はバネ材等の付勢部材による反発付勢力で戻るような簡易構造として、各種回転効果フィルターを調整できることも本考案に包含されるものである。なお実施において本装置では、軽量化するために本体ボディー１ａ、回転駆動アーム３、フィルター回転ダイヤル４など各主要構成部材をアルミダイカストによる材質を使用しているものであるが、ここで、本考案の装置全体においては軽量な材質を使用することが望ましいものであるが、各装置の材質は何ら限定するものではない。
【図面の簡単な説明】
【００２６】
【図１】本考案の一実施例における使用状態の正面図である。
【図２】同実施例の装置本体の正面図。
【図３】同実施例の作用断面図。
【図４】同実施例の内部構成を表す上面図。
【図５】同実施例の内部構成を表す断面図。
【図６】同実施例の内部構成を表す底面図。
【図７】フィルター回転ダイヤルの構成図。
【図８】回転駆動アームの構成図。
【図９】他の従来例１を示す一部の断面図である。
【図１０】他の従来例２を示す一部の断面図である。
【符号の説明】
【００２７】１：装置本体
１ａ：本体ボディー
２：方向移動ダイヤル
３：回転駆動アーム
４：フィルター回転ダイヤル
５：クリックバネ
６：ダイヤル取付ネジ
７：移動調整ピン
８：止めネジ
９：ダイヤルリング
Ａ：指
Ｂ：フード抜き孔
１０：カメラレンズフード
１１：レンズ鏡筒
１２：回転効果フィルター
１３：フード抜き孔
Ｙ１：カメラレンズフード
Ｙ２：カメラレンズフード
Ｙ２ａ：開口部
Ｘ１：偏光フィルター
３０：レンズ鏡筒
３１：可動枠
３２：固定枠
３３：雄ネジ溝
３４：雌ネジ溝
【図１】
0003116953.tif 000003
【図２】
0003116953.tif 000004
【図３】
0003116953.tif 000005
【図４】
0003116953.tif 000006
【図５】
0003116953.tif 000007
【図６】
0003116953.tif 000008
【図７】
0003116953.tif 000009
【図８】
0003116953.tif 000010
【図９】
0003116953.tif 000011
【図１０】
0003116953.tif 000012